(57)【要約】【課題】カメラ機能を使用する際、機能変更をテンキーで行うことができ、多数のテンキーを利用して機能変更を容易にする携帯端末装置の提供。【解決手段】被写体を撮像する撮像手段と、撮影画像を表示する表示手段と、画像を記録する記録手段と、外部へ情報を送信する情報送信手段と、外部からの情報を受信する情報受信手段と、０から９の数字入力可能なテンキーを有する携帯端末装置において、前記テンキーを用いて撮影に関する指示を行うことを特徴とする携帯端末装置。【選択図】図２
2007110603.tif 000002
【特許請求の範囲】
【請求項１】
被写体を撮像する撮像手段と、撮影画像を表示する表示手段と、画像を記録する記録手段と、外部へ情報を送信する情報送信手段と、外部からの情報を受信する情報受信手段と、０から９の数字入力可能なテンキーを有する携帯端末装置において、前記テンキーを用いて撮影に関する指示を行うことを特徴とする携帯端末装置。
【請求項２】
画像を撮影する際、テンキーによる入力で撮影の開始または停止の指示を行うことを特徴とする請求項１に記載の携帯端末装置。
【請求項３】
画像を撮影する際、ズーム倍率変更をテンキーの数字を用いて数値入力することを特徴とする請求項１に記載の携帯端末装置。
【請求項４】
画像を撮影する際、露出またはシャッタースピードをテンキーでの数値入力により変更可能であることを特徴とする請求項１に記載の携帯端末装置。
【請求項５】
画像を撮影する際、記録される画像の圧縮率をテンキーでの数値入力により変更可能であることを特徴とする請求項１に記載の携帯端末装置。
【請求項６】
画像を撮影する際、記録される画像のゲインまたはホワイトバランスをテンキーでの数値入力により変更可能であることを特徴とする請求項１に記載の携帯端末装置。
【請求項７】
画像を表示する表示手段と、画像を記録する記録手段と、外部へ情報を送信する情報送信手段と、外部からの情報を受信する情報受信手段と、０から９の数字の入力可能なテンキーを有する携帯端末装置において、前記テンキーを用いて再生に関する指示を行うことを特徴とする携帯端末装置。
【請求項８】
画像を再生する際、テンキーによる入力で再生の開始または停止の指示を行うことを特徴とする請求項７に記載の携帯端末装置。
【請求項９】
画像を再生する際、テンキーによる入力で再生の早送りまたは巻き戻しの指示を行うことを特徴とする請求項７に記載の携帯端末装置。
【請求項１０】
画像を再生する際、再生画像の表示倍率をテンキーでの数値入力により変更可能であることを特徴とする請求項７に記載の携帯端末装置。
【請求項１１】
複数枚の画像を識別するために各画像に番号を割り振り記録することが可能な記録手段において、記録されている特定の画像を選択する際、あらかじめ画像に割り振られている数字を前記テンキーによって数値入力することにより選択表示可能であることを特徴とする請求項７に記載の携帯端末装置。
【発明の詳細な説明】
【技術分野】
【０００１】
本発明は携帯端末装置に関し、特に電子カメラ機能を有する複合型携帯情報端末に関する。
【背景技術】
【０００２】
従来より、電子カメラ付き携帯端末をカメラとして使用する場合はレンズと内蔵のイメージセンサより画像を取り込み、内蔵メモリや外部メモリに記録することが可能となっている。また通信端末として電話機能を使用する場合は、相手先の電話番号を０から９に割り振られたテンキーにより入力しダイヤルすることが可能である。また電子メール機能を使用する場合はテンキーを用いて文字を入力し、メモリに記録された画像を再生や編集することができる。また、情報通信機能を有しているため、他の端末と画像を相互交換も可能である。
【特許文献１】特開平５−８３６０６号公報
【発明の開示】
【発明が解決しようとする課題】
【０００３】
電子カメラ付き携帯端末では録画や再生時の操作を行う場合に、十字キーなどの機能変更のために設けられたキーを用いて切換を行う。また、携帯端末は携帯性の向上を図るため、小型に作られている。そのため、今後の電子カメラ付き携帯端末の撮像部の高性能化に伴い、録画時には露出調整やズーム調整、再生時にはスロー再生や明るさの変更などといった多機能の変更が可能となると、機能変更のために設けられたキーのみの操作では複雑になる。一方、再生や録画の機能変更の為に別のキーを設けると大型化につながってしまう。
【０００４】
そこで本発明は録画や再生時に必要な機能変更操作を、以前より電話番号入力の為に設けられているテンキーを用いることにより小型で、機能変更を容易にすることが可能な電子カメラ付きの携帯端末装置を提供する。
【課題を解決するための手段】
【０００５】
本出願に係る発明の目的を実現する構成は、
被写体を撮像する撮像手段と、画像を表示する表示手段と、画像を記録する記録手段と、他の端末への情報送信手段と、他の端末からの情報受信手段と、０から９の数字入力可能なテンキーを有する携帯端末装置において、テンキーを用いて撮影に関する指示を行う（請求項１）。
【０００６】
また、画像を撮影する際、テンキー指示入力により撮影の停止・開始の指示を行う（請求項２）。
【０００７】
また本発明では撮影時、
・ズーム倍率変更
・露出
・シャッタースピード
・画像圧縮率
・ゲイン
・ホワイトバランス
をテンキーを用いて数値入力を行う（請求項３〜６）。
【０００８】
本出願に係る発明の目的を実現する別の構成は、画像を表示する表示手段と、画像を記録する記録手段と、他の端末への情報送信手段と、他の端末からの情報受信手段と、０から９の数字入力可能なテンキーを有する携帯端末装置において、テンキーを用いて再生に関する指示を行う（請求項７）。
【０００９】
また、画像を再生する際、テンキーによる指示入力により、
・画像の再生の停止・開始
・早送り、巻き戻し
の指示を行う（請求項８、９）。
【００１０】
また、画像を再生する際、再生画像の表示倍率をテンキーでの数値入力により指示変更する（請求項１０）。
【００１１】
また、記録されている特定の画像を選択する際、あらかじめ画像に割り振られている数字を前記テンキーによって数値入力することにより選択表示する（請求項１１）。
【発明の効果】
【００１２】
本発明によれば、撮像機能が搭載されている携帯端末において撮影や再生での操作を行う際に、小型化でスイッチを増やすことができない携帯端末においても、操作指示をテンキーに割り振ることで、スイッチを追加することなく操作が容易に行うことが可能で小型な携帯端末装置を提供できる。
【発明を実施するための最良の形態】
【００１３】
以下本発明の実施形態について説明する。
【実施例１】
【００１４】
図１は本発明の実施形態に係る電子カメラ付き携帯端末の外観図である。電話機能を使用する際必要な、１０はアンテナ、１１はスピーカー、１７はマイク、１６は電話番号を入力するキー（各キーが０〜９までの数字と対応したキーで、以後テンキーとする）を有する。１３、１５は通話を開始、終了するためのキーである。また、本発明の携帯端末には撮像機能を有しており、撮像に用いるカメラレンズ１８、画像表示を行うＬＣＤ１２を有している。１４は機能の切換えを指示するキーで、キー内の矢印位置で上下左右の４方向で指示が可能である十字キーである。
【００１５】
図２は本発明の実施形態に係る電子カメラ付き携帯端末のブロック図である。撮影レンズ２１は被写体像を撮像素子であるＣＣＤ２２の撮像面に結像するようになっている。レンズ制御部２１３では指示された倍率や絞りなどの光学系の制御を行い、ＣＣＤ２２は撮像面に結像した光学像を電気信号に変換し、画像信号に変換して、画像信号として撮像処理部２３に出力する。
【００１６】
撮像処理部２３はＣＣＤ２２からの画像信号にガンマ補正処理、色分解処理およびホワイトバランス処理などの画像処理を加える。記録部２５では撮像処理部からの画像を内部メモリやカードに記録する。再生部では記録部２５で記録された画像を読み出して出力する。マイク２１２で集音された音は音調整部２１０を経て音声信号として変換後、記録部２５で記録される。また再生部で記録された音声情報は音調整部２１０を経てスピーカー２１１より出力される。
【００１７】
携帯電話として用いる場合はテンキー２７より入力された番号への発信または受信等を受信部２８、送信部２９で行い、マイク２１２やスピーカー２１１を通して音の発信または受信を行う。
【００１８】
本発明では十字キーのメニュー操作によって通話モード、撮影モード、再生モードに切換えられる。以下、各モードにおける動作について説明する。
【００１９】
通話モードではテンキーを用いて通話先の電話番号を入力し、通話キーを入力すると発信する。また他の端末からの受信時も通話キーを入力することで受話できる。
【００２０】
撮影モードの場合は、ＬＣＤ１２にはカメラからのスルー画像が映し出されており、テンキー２７の信号が入力された場合に録画を開始、終了を行う。撮影条件の変更は十字キーを用いることにより変更モードに入ることができる。本発明では十字キーの上下左右を入力することで、露出、ズーム、シャッタースピード、モード変更（再生、通話モードへの変更）を導入する指示が可能である。
【００２１】
例えば、はじめに十字キーの上を指示した場合は露出変更指示が可能になり、撮影者は任意の露出を数値で入力する。露出設定には負の値が存在するため、負の場合には＊を数字の前に入力する。つまり、露出を＋１に設定したい場合にはテンキーの１を入力し、露出−１の場合には＊１を入力する。設定終了は♯を入力することで識別される。
【００２２】
次に十字キーの右を入力した場合にはズーム変更が可能になり、撮影者は任意のズーム倍率を数値で入力する。最も広角の倍率を１とし、最大倍率までの数値を入力することができる。小数点は＊で入力する。つまりズーム倍率を２．５倍に設定したい場合には２＊５を入力することで設定できる。ズーム倍率の数値入力をすると即座にＬＣＤ１２の表示倍率は変更される。ズーム倍率の設定終了は♯を入力することで識別される。
【００２３】
次に十字キーの下を選択した場合にはシャッタースピード変更が可能になり、撮影者は任意のシャッタースピードを数値入力する。シャッタースピードが１以下の場合には＊を数字の前に入力し、分母の数値を続いて入力する。つまり、シャッタースピードを１（ｓｅｃ）に設定したい場合は１、１／５（ｓｅｃ）の場合は＊５を入力する。これら露出、ズーム、シャッタースピードの変更は撮影前でも撮影中でも可能である。
【００２４】
露出、シャッタースピード、ズームの撮影条件は保存でき、各条件にはナンバリングされる。保存方法は保存したい条件に設定し、♯の長押し後に任意のナンバーをテンキーにより入力することにより保存される。呼び出しには♯の２度押し後、保存している条件のナンバーをテンキーより入力することにより呼び出される。
【００２５】
ここでは露出、ズーム、シャッタースピードの変更指示を例に挙げたが、その他、絞り値、ホワイトバランス、ＩＳＯ感度、ゲイン、記録時の圧縮率の変更指示等も同じような方法で達成されるのは言うまでもない。
【００２６】
再生モードに切換えた場合は十字キーのメニューにより静止画や動画の再生画像（サムネイルでもよい）が表示される。動画を選択した場合は再生の際に必要な指示が必要となる。本発明ではテンキーに再生などの機能指示を割り振っており、１，２，３で巻戻し、再生、早送り、４，５に停止、一時停止を振り分けておくことで、各キーのひと押しで切換えが可能となる。またＬＣＤ１２に２つのビューを設け、同時に異なる２種類の動画を再生する場合においても、１，２，３ではビュー１での停止、再生、早送り、４，５，６ではビュー２での停止、再生、早送りなど容易に独立して制御できる。
【００２７】
また、撮影時のズーム倍率変更と同様、再生時においても再生ズーム倍率の変更が可能であり、任意の再生ズーム倍率を数値で入力する。ここでも最も広角の倍率を１とし、最大倍率までの数値を入力することができる。小数点は＊で入力する。つまり再生ズーム倍率を２．５倍に設定したい場合には２＊５を入力することで設定できる。ズーム倍率の数値入力をすると即座にＬＣＤ１２の表示倍率は変更される。再生ズーム倍率の設定終了は♯を入力することで識別される。
【００２８】
撮影時同様、これらの再生条件は保存でき、各条件にはナンバリングされる。保存方法は保存したい条件に設定し、♯の長押し後に任意のナンバーをテンキーにより入力することにより保存される。呼び出しには♯の２度押し後、保存している条件のナンバーをテンキーより入力することにより呼び出される。
【００２９】
ここでは再生ズーム倍率の変更指示を例に挙げたが、その他の変更指示等も同じような方法で達成される。
【００３０】
また、各画像にはそれぞれ固有の識別番号が付帯されているので、その識別番号をテンキーにより直接入力することで、所望の画像をダイレクトに表示させることもできる。
【図面の簡単な説明】
【００３１】
【図１】本発明の実施形態に係わる外観図である。
【図２】本発明の実施形態に係わるブロック図である。
【符号の説明】
【００３２】
１０    アンテナ部
１１    スピーカー部
１２    ＬＣＤ部
１３    通話スイッチ
１４    切スイッチ
１５    十字キー
１６    テンキー
１７    マイク
１８    カメラレンズ
２１    レンズ
２２    ＣＣＤ
２３    撮像処理部
２４    再生部
２５    記録部
２６    制御部
２７    テンキー部
２８    受信部
２９    送信部
２１０  音調整部
２１１  スピーカー
２１２  マイク
２１３  レンズ制御部
【図１】
2007110603.tif 000003
【図２】
2007110603.tif 000004